(57)【要約】【課題】本発明は、第１筐体に配置された第１導電部と第２筐体に配置された第２導電部とにより生じる静電容量の変化量に基づいて開状態又は閉状態であることを検知する電子機器を提供することを目的とする。【解決手段】携帯電話機１は、操作部側筐体２と表示部側筐体３とを開閉可能に連結するヒンジ機構４と、操作部側筐体２に形成される第１金属蒸着部１００と、表示部側筐体３に形成され閉状態において第１金属蒸着部１００から離間して配置されると共に開状態において第１金属蒸着部１００に近接して配置される第２金属蒸着部１０２と、第１導電部と第２導電部とにより生じる静電容量の変化を検出する検出部４０３と、検出部４０５により検出された静電容量の変化に基づいて開状態又は閉状態であることを検知する開閉検知部４１０と、を備える。【選択図】図３Ａ
2009182688.tif 000002
【特許請求の範囲】
【請求項１】
第１面を有する第１筐体と、
第２面を有する第２筐体と、
前記第１面と前記第２面とが対向して配置される閉状態と前記第２面と前記第１面とが対向しない開状態とになるよう前記第１筐体と前記第２筐体とを連結する連結部と、
前記第１筐体に形成される第１導電部と、
前記第２筐体に形成され、前記閉状態又は前記開状態の一方において離間し、前記閉状態又は開状態の他方において近接して配置される第２導電部と、
前記第１導電部と前記第２導電部とにより生じる静電容量の変化を検出する検出部と、
前記検出部により検出された静電容量の変化に基づいて前記開状態又は前記閉状態であることを検知する開閉検知部と、を備える電子機器。
【請求項２】
前記第２導電部は、前記開状態において前記第１導電部に近接して配置される請求項１に記載の電子機器。
【請求項３】
前記連結部は、前記第１筐体における一端側と前記第２筐体における一端側とを連結し、
前記第１導電部は、前記第１筐体における前記連結部近傍に形成され、
前記第２導電部は、前記第２筐体における前記連結部近傍に形成される請求項１又は２に記載の電子機器。
【請求項４】
前記第２導電部は、前記第２筐体における前記第２面と反対の面側に形成される請求項３に記載の電子機器。
【請求項５】
前記第１面における前記第１導電部に対応する部分は、前記閉状態及び前記開状態において外部に露出しないよう構成される請求項３又は４に記載の電子機器。
【請求項６】
前記第２面における前記第２導電部に対応する部分は、
前記閉状態において外部に露出し、
前記開状態において外部に露出ないよう構成される請求項５に記載の電子機器。
【請求項７】
前記第１筐体に収容配置される第１回路基板と、
前記第２筐体に収容配置される第２回路基板と、
前記第１筐体の内部と前記第２筐体の内部とに配置され、前記第１回路基板と前記第２回路基板とをつなぐ信号線と、を備え、
前記信号線は、前記連結部近傍において、前記連結部の開閉軸方向における一方側に配置され、
前記第１導電部及び前記第２導電部それぞれは、前記開閉軸方向における他方側に配置される請求項３から６のいずれかに記載の電子機器。
【請求項８】
前記第１導電部と前記第２導電部とは、前記開状態において、互いに容量結合する
請求項１から７のいずれかに記載の電子機器。
【請求項９】
前記第１導電部及び前記第２導電部それぞれは、金属蒸着により形成される請求項１から８のいずれかに記載の電子機器。
【請求項１０】
前記静電容量の変化を電圧の変化に変換する変換部と、を備え、
前記検出部は、前記変換部からの電圧の変化により前記静電容量の変化を検出する請求項１から９のいずれかに記載の電子機器。
【発明の詳細な説明】
【技術分野】
【０００１】
本発明は、携帯電話機等の電子機器に関する。詳細には、互いに連結された２つの筐体を有する電子機器に関する。
【背景技術】
【０００２】
従来、電子機器としての携帯電話機において、携帯電話機の開閉を検知する構成として、一方の筐体にスイッチを配置し、他方の筐体に閉状態においてスイッチに対応する位置に突起を形成した開閉検知構造が知られている。
【０００３】
しかし、この開閉検知構造の場合、突起やスイッチを形成する位置が限定されるため設計の自由度が低くなるという問題や、突起やスイッチにより他の部品の実装スペースが少なくなるという問題があった。
【０００４】
そこで、携帯電話機における開閉状態を検知するため、一方の筐体に磁石を配置すると共に他方の筐体にホール素子を配置した携帯電話機が提案されている（例えば、特許文献１参照）。
【特許文献１】特開平１０−１２６４６９号公報
【発明の開示】
【発明が解決しようとする課題】
【０００５】
しかし、特許文献１に開示された携帯電話機において、一方の筐体に配置された磁石の位置によっては、磁石により発生される磁束が磁気記憶媒体やスピーカ等に悪影響を与える可能性があった。
【０００６】
本発明は、第１筐体に配置された第１導電部と第２筐体に配置された第２導電部とにより生じる静電容量の変化量に基づいて開状態又は閉状態であることを検知する電子機器を提供することを目的とする。
【課題を解決するための手段】
【０００７】
本発明は、第１面を有する第１筐体と、第２面を有する第２筐体と、前記第１面と前記第２面とが対向して配置される閉状態と前記第２面と前記第１面とが対向しない開状態とになるよう前記第１筐体と前記第２筐体とを連結する連結部と、前記第１筐体に形成される第１導電部と、前記第２筐体に形成され、前記閉状態又は前記開状態の一方において離間し、前記閉状態又は開状態の他方において近接して配置される第２導電部と、前記第１導電部と前記第２導電部とにより生じる静電容量の変化を検出する検出部と、前記検出部により検出された静電容量の変化に基づいて前記開状態又は前記閉状態であることを検知する開閉検知部と、を備える電子機器に関する。
【０００８】
また、前記第２導電部は、前記開状態において前記第１導電部に近接して配置されることが好ましい。
【０００９】
また、前記連結部は、前記第１筐体における一端側と前記第２筐体における一端側とを連結し、前記第１導電部は、前記第１筐体における前記連結部近傍に形成され、前記第２導電部は、前記第２筐体における前記連結部近傍に形成されることが好ましい。
【００１０】
また、前記第２導電部は、前記第２筐体における前記第２面と反対の面側に形成されることが好ましい。
【００１１】
また、前記第１面における前記第１導電部に対応する部分は、前記閉状態及び前記開状態において外部に露出しないよう構成されることが好ましい。
【００１２】
また、前記第２面における前記第２導電部に対応する部分は、前記閉状態において外部に露出し、前記開状態において外部に露出ないよう構成されることが好ましい。
【００１３】
また、前記第１筐体に収容配置される第１回路基板と、前記第２筐体に収容配置される第２回路基板と、前記第１筐体の内部と前記第２筐体の内部とに配置され、前記第１回路基板と前記第２回路基板とをつなぐ信号線と、を備え、前記信号線は、前記連結部近傍において、前記連結部の開閉軸方向における一方側に配置され、前記第１導電部及び前記第２導電部それぞれは、前記開閉軸方向における他方側に配置されることが好ましい。
【００１４】
また、前記第１導電部と前記第２導電部とは、前記開状態において、互いに容量結合することが好ましい。
【００１５】
また、前記第１導電部及び前記第２導電部それぞれは、金属蒸着により形成されることが好ましい。
【００１６】
また、前記静電容量の変化を電圧の変化に変換する変換部と、を備え、前記検出部は、前記変換部からの電圧の変化により前記静電容量の変化を検出することが好ましい。
【発明の効果】
【００１７】
本発明によれば、第１筐体に配置された第１導電部と第２筐体に配置された第２導電部とにより生じる静電容量の変化量に基づいて開状態又は閉状態であることを検知する電子機器を提供することができる。
【発明を実施するための最良の形態】
【００１８】
以下、図面を参照して本発明を実施するための最良の形態を説明する。
図１から図３Ｂにより、携帯電話機１における基本構造を説明する。図１は、開状態における携帯電話機１の正面図である。図２Ａは、閉状態における携帯電話機１の側面図である。図２Ｂは、図２Ａにおける第１金属蒸着部１００及び第２金属蒸着部１０２近傍の拡大図である。図３Ａは、開状態における携帯電話機１の側面図である。図３Ｂは、図３Ａにおける第１金属蒸着部１００及び第２金属蒸着部１０２近傍の拡大図である。
【００１９】
図１に示すように、電子機器としての携帯電話機１は、第１筐体としての操作部側筐体２と、第２筐体としての表示部側筐体３と、を備える。操作部側筐体２と表示部側筐体３とは、連結部としてのヒンジ機構４を介して開閉可能に連結される。具体的には、操作部側筐体２の上端部と表示部側筐体３の下端部とは、ヒンジ機構４を介して連結される。これにより、携帯電話機１は、ヒンジ機構４を介して連結された操作部側筐体２と表示部側筐体３とを相対的に動かすことが可能に構成される。
【００２０】
携帯電話機１は、図１、図３Ａ及び図３Ｂに示す操作部側筐体２と表示部側筐体３とが開いた状態（開状態）と、図２Ａ及び図２Ｂに示す操作部側筐体２と表示部側筐体３とが折り畳まれた状態（閉状態）とにすることができる。携帯電話機１は、操作部側筐体２における第１面としての内面２Ａと表示部側筐体３における第２面としての内面３Ａとが向かいあうように対向して配置される閉状態と、操作部側筐体２における内面２Ａと表示部側筐体３における内面３Ａとが対向しない開状態とになるようヒンジ機構４により開閉軸Ｘを中心に開閉可能に構成される。ここで、閉状態とは、両筐体が互いに重なるように配置された状態であり、開状態とは、両筐体が互いに重ならないように配置された状態をいう。
【００２１】
操作部側筐体２は、外面が閉状態において内側を向く第１面としての内面２Ａ側に配置されるフロントケース２ａと閉状態において外側を向く外面２Ｂ側に配置されるリアケース２ｂとにより構成される。操作部側筐体２は、フロントケース２ａ側に、操作キー群１１と、携帯電話機１の使用者が通話時に発した音声が入力されるマイクとしての音声入力部１２とがそれぞれ露出するように構成される。
【００２２】
操作キー群１１は、各種設定や電話帳機能やメール機能等の各種機能を作動させるための機能設定操作キー１３と、電話番号の数字やメール等の文字等を入力するための入力操作キー１４と、各種操作における決定や上下左右方向のスクロール等を行う操作部材としての決定操作キー１５とにより構成される。操作キー群１１を構成する各キーそれぞれには、操作部側筐体２と表示部側筐体３との開閉状態や各種モード、あるいは起動されているアプリケーション等の種類に応じて所定の機能が割り当てられる（キー・アサイン）。そして、使用者が各キーを押圧することにより、各キーに割り当てられている機能に応じた動作が実行される。
【００２３】
音声入力部１２は、操作部側筐体２の長手方向におけるヒンジ機構４側と反対の外端部側に配置される。つまり、音声入力部１２は、携帯電話機１が開状態において一方の外端部側に配置される。
【００２４】
操作部側筐体２における一方側の側面には、外部機器（例えば、ホスト装置）と通信を行うためのインターフェース（図示せず）が配置される。操作部側筐体２の他方側の側面には、所定の機能が割り当てられているサイドキーと、外部メモリの挿入及び取り出しが行われるインターフェース（図示せず）とが配置される。インターフェースは、キャップにより覆われている。各インターフェースは、不使用時にはキャップにより覆われる。
【００２５】
表示部側筐体３は、外面が閉状態において内側を向く第２面としての内面３Ａ側に配置されるフロントケース３ａと、リアパネル３ｃ（図５参照）と、閉状態において外側を向く外面３Ｂ側に配置されるリアケース３ｂ（図５参照）とにより構成される。表示部側筐体３におけるフロントケース３ａとリアケース３ｂとの間には、各種情報を表示するための表示部２１と、通話の相手側の音声を出力するレシーバとしての音声出力部２２と、が露出するように配置される。ここで、表示部２１は、液晶パネルと、この液晶パネルを駆動する駆動回路と、この液晶パネルの背面側から光を照射するバックライト等の光源部とから構成される。
【００２６】
ここで、図２Ａから図３Ｂに示すように、後述する第１導電部としての第１金属蒸着部１００は、操作部側筐体２におけるヒンジ機構４側に形成され、第２導電部としての第２金属蒸着部１０２は、表示部側筐体３におけるヒンジ機構４側に形成される。
【００２７】
図２Ａ及び図２Ｂに示すように、携帯電話機１が閉状態において、第１金属蒸着部１００と第２金属蒸着部１０２とは、携帯電話機１における厚さ方向に離間して配置される。また、図３Ａ及び図２Ｂに示すように、携帯電話機１が開状態において、第１金属蒸着部１００と第２金属蒸着部１０２とは、近接して配置される。
【００２８】
第１金属蒸着部１００と前記第２金属蒸着部１０２とは、携帯電話機１が開状態におけるアンテナ利得の向上を目的して形成される導電部である。
本実施形態においては、アンテナ利得向上のための第１金属蒸着部１００と第２金属蒸着部１０２とを利用して、携帯電話機１における開閉状態を検知する。具体的には、第１金属蒸着部１００と第２金属蒸着部１０２とにより生じる静電容量の変化により、携帯電話機１における開閉状態を検出する。詳細は、後述の通りである。
【００２９】
次いで、図４から図７により、携帯電話機１における操作部側筐体２及び表示部側筐体３の内部構造について説明する。図４は、操作部側筐体２に内蔵される部材の分解斜視図である。図５は、表示部側筐体３に内蔵される部材の分解斜視図である。図６は、携帯電話機１における開閉検知機能を説明するブロック図である。図７は、Ｃ／Ｖ変換部４００を構成するＣ／Ｖ変換回路図である。
【００３０】
図４に示すように、操作部側筐体２は、フロントケース２ａと、キー構造部４０と、キー基板５０と、ケース体６０と、基準電位パターン層７５及び携帯電話機用のＲＦ（Ｒａｄｉｏ  Ｆｒｅｑｕｅｎｃｙ）モジュール等の各種電子部品を備える第１回路基板７０と、アンテナ部８０と、バッテリリッド２ｃを備えたリアケース２ｂと、バッテリ９０とを備える。
【００３１】
フロントケース２ａとリアケース２ｂとは、互いの凹状の内側面が向き合うように配置され、互いの外周縁が重なり合うようにして結合される。また、フロントケース２ａとリアケース２ｂとの間には、キー構造部４０と、キー基板５０と、ケース体６０と、第１回路基板７０と、アンテナ部８０と、が挟まれるようにして内蔵される。
【００３２】
フロントケース２ａには、携帯電話機１を折り畳んだ状態で表示部側筐体３の表示部２１と対向する内側面に、キー孔１３ａ、１４ａ、１５ａが形成される。キー孔１３ａ、１４ａ、１５ａそれぞれからは、機能設定操作キー１３を構成する機能設定操作キー部材１３ｂの押圧面、入力操作キー１４を構成する入力操作キー部材１４ｂの押圧面、及び決定操作キー１５を構成する決定操作キー部材１５ｂの押圧面が露出される。この露出した機能設定操作キー部材１３ｂ、入力操作キー部材１４ｂ及び決定操作キー部材１５ｂの押圧面を押し下げるように押圧することで、対応するキースイッチ５１、５２、５３それぞれに設けられる後述のメタルドーム（椀状形状）の頂点が押圧され、スイッチ端子に接触して電気的に導通する。
【００３３】
フロントケース２ａにおけるヒンジ機構４が配置される側の端部２００Ａには、第１金属蒸着部１００が形成される。第１金属蒸着部１００は、フロントケース２ａの端部２００Ａにおける回転軸Ｘ方向（幅方向）のＸ１側に形成される。第１金属蒸着部１００は、フロントケース２ａの端部２００Ａにおけるリアケース２ｂと対向する側の面である内面に形成される。第１金属蒸着部１００は、フロントケース２ａの内面に金属蒸着処理をすることで形成される。
【００３４】
第１金属蒸着部１００は、図３Ａ及び図３Ｂに示すように、携帯電話機１が開状態において、表示部側筐体３に形成された第２金属蒸着部１０２と近接配置されて互いに容量結合する。
【００３５】
図１及び図４に示すように、第１回路基板７０と表示部側筐体３に収容配置される第２回路基板としての回路基板８５とをつなぐ信号線２５０ａを含むフレキシブルプリント基板２５０は、回転軸方向ＸにおけるＸ２側に配置される。そして、互いに容量結合する第１金属蒸着部１００及び第２金属蒸着部１０２は、回転軸方向Ｘにおける信号線２５０ａと反対側のＸ１側に形成される。これより、携帯電話機１が開状態において、アンテナ特性は好適な状態に向上される。
【００３６】
第１面としての内面２Ａにおける第１金属蒸着部１００に対応する領域１００ａは、図２Ａから図３Ｂに示すように、携帯電話機１が閉状態及び前記開状態において外部に露出しないよう構成される。図２Ａから図３Ｂに示すように、第１金属蒸着部１００に対応する領域１００ａは、携帯電話機１が閉状態及び開状態において、表示部側筐体３の一部に覆われ、外部に露出しない状態が維持される。
【００３７】
第１金属蒸着部１００は、後述する第１回路基板７０に電気的に接続される。第１金属蒸着部１００は、後述する検出部を構成するＣ／Ｖ変換回路（図７参照）に電気的に接続される。
【００３８】
第１金属蒸着部１００と第２金属蒸着部１０２とは、図２Ａ及び図２Ｂに示すように、閉状態において、厚さ方向Ｔに離間して配置される。つまり、携帯電話機１が開状態と閉状態とでは、第１金属蒸着部１００と第２金属蒸着部１０２との距離が変化する。言い換えると、携帯電話機１が開状態と閉状態とでは、第１金属蒸着部１００と第２金属蒸着部１０２とにより生じる静電容量が異なる。この静電容量の変化が検出部４０５（図６参照）により検出され、開閉検知部４１０（図６参照）により開閉状態が検知される。
【００３９】
キー構造部４０は、操作部材４０Ａと、補強部材としてのキーフレーム４０Ｂと、キーシート４０Ｃと、により構成される。
【００４０】
操作部材４０Ａは、複数のキー操作部材により構成される。具体的には、機能設定操作キー部材１３ｂと、入力操作キー部材１４ｂと、決定操作キー部材１５ｂとにより構成される。操作部材４０Ａを構成する各操作キー部材それぞれは、後述するキーフレーム４０Ｂを挟んでキーシート４０Ｃに接着される。キーシート４０Ｃに接着された各操作キー部材それぞれにおける押圧面は、上述の通り、キー孔１３ａ、１４ａ、１５ａそれぞれから外部に露出して配置される。
【００４１】
キーフレーム４０Ｂは、孔部１４ｃが複数形成された金属性の板状部材である。キーフレーム４０Ｂは、入力操作キー部材１４ｂの押圧による第１回路基板７０等への悪影響を防ぐための補強部材である。また、キーフレーム４０Ｂは導電性の部材であり、入力操作キー部材１４ｂにおける静電気を逃がすための部材としても機能する。キーフレーム４０Ｂに形成される複数の孔部１４ｃには、後述するキーシート４０Ｃに形成される凸部１４ｄが嵌合するように配置される。そして、この凸部１４ｄに入力操作キー部材１４ｂが接着される。
【００４２】
キーシート４０Ｃは、可撓性を有するシリコンゴム製のシート状部材である。キーシート４０Ｃには、上述の通り、複数の凸部１４ｄが形成される。複数の凸部１４ｄは、キーシート４０Ｃにおけるキーフレーム４０Ｂが配置される側の面に形成される。この複数の凸部１４ｄそれぞれは、後述するキースイッチ５２に対応する位置に形成される。
【００４３】
キー基板５０は、キーシート４０Ｃ側に配置される複数のキースイッチ５１、５２、５３を有する。複数のキースイッチ５１、５２、５３、それぞれは、各操作部材４０Ａに対応する位置に配置される。キー基板５０に配置されるキースイッチ５１、５２、５３は、椀状に湾曲して立体的に形成された金属板のメタルドームを有する構造になっている。メタルドームは、その椀状形状の頂点が押圧されると、キー基板５０の表面に印刷された電気回路（図示せず）に形成されるスイッチ端子に接触して電気的に導通するように構成される。なお、キー基板５０は、複数の絶縁層（絶縁フィルム）の間に配線を挟み込んだものである。
【００４４】
キー基板５０がケース体６０における平板部６１に載置されるので、操作部材４０Ａそれぞれが押圧されることによる圧力や撓みは、ケース体６０の下方に配置される第１回路基板７０に伝達されにくい。
【００４５】
ケース体６０は、薄型の直方体における一の広い面が開口した形状を有する導電性の部材である。ケース体６０は、平板部６１における開口側の面に略垂直に形成されるリブ６２を有する。リブ６２は、第１回路基板７０に実装される各種電子部品のうち最も高さのある電子部品の高さと同等又はそれよりも十分に高くなるよう形成される。リブ６２は、平板部６１の周縁及び内側に基準電位部を構成する基準電位パターン層７５に対応するように形成される。具体的には、ケース体６０が第１回路基板７０に載置された状態で、基準電位パターン層７５上に配置されるようにリブ６２が形成される。なお、ケース体６０は、金属により形成するほか、骨格を樹脂により形成し、その表面に導体膜を形成したものでもよい。
【００４６】
ケース体６０は、リブの底面が基準電位パターン層７５に当接されることで、該基準電位パターン層７５と電気的に接続される。ケース体６０は、基準電位パターン層７５と電気的に導通して該基準電位パターン層７５と同じ大きさの電位を有するようになる。つまり、ケース体６０は、シールドケースとして機能する。ケース体６０は、シールドケースとして外部からの高周波等のノイズが第１回路基板７０に配置される各種電子部品に作用するのを抑制すると共に、ＲＦ（Ｒａｄｉｏ  Ｆｒｅｑｕｅｎｃｙ）回路、ＣＰＵ回路、電源回路等から放出されるノイズを遮蔽して、他の電子部品やアンテナに接続される受信回路等に作用することを抑制する。具体的には、ケース体６０におけるリブ６２の底面が基準電位パターン層７５上に配置されることで、後述する各回路はリブ６２により囲われると共に平板部６１の一部により覆われる。リブ６２は、各回路における隔壁として機能し、平板部６１の一部と共に各回路をシールドする。
【００４７】
第１回路基板７０には、アンテナ１０８が送受信する信号を処理する信号処理部、メモリ４４やＣＰＵ４５を含む不図示の各種電子部品や回路が配置される。各種電子部品は、所定の組み合わせにより複数の回路ブロックを形成する。例えば、ＲＦ（Ｒａｄｉｏ  Ｆｒｅｑｕｅｎｃｙ）回路、電源回路等を含む各種回路ブロックが形成される。また、第１回路基板７０には、コネクタ９９が実装される。コネクタ９９は、第１回路基板７０に形成される不図示の信号線によりＣＰＵ４５等と電気的に接続される。
【００４８】
第１回路基板７０におけるケース体６０側の第１面７０ａには、上述の各種電子部品のほか、基準電位部を構成する基準電位パターン層７５が形成される。基準電位パターン層７５は、上述の各回路ブロックを区画するように形成される。基準電位パターン層７５は、第１回路基板７０の第１面７０ａの表面に導電性の部材を所定パターンで印刷することで形成される。
【００４９】
フレキシブルプリント基板２５０は、図４に示す第１回路基板７０と図５に示す第２回路基板８５とに接続される。フレキシブルプリント基板２５０は、図１に示すように、回転軸方向Ｘにおいて、第１金属蒸着部１００及び第２金属蒸着部１０２側（Ｘ１側）と反対側のＸ２側に偏って配置される。フレキシブルプリント基板２５０は、複数の信号線２５０ａを有する。第１回路基板７０と第２回路基板８５とをつなぐ複数の信号線２５０ａそれぞれは、第１回路基板７０に実装された電子部品等からの信号を第２回路基板８５に実装された所定の電子部品等に出力させる。
【００５０】
アンテナ部８０は、基台上に所定形状のアンテナエレメントが配置されることにより構成される。アンテナ部８０は、携帯電話機１におけるヒンジ機構４側と反対の端部側に配置される。このアンテナ部８０のアンテナエレメントは、帯状の板金により形成される。また、アンテナ部８０は、不図示の給電端子を介して第１回路基板７０から給電される。これにより、アンテナエレメントは、給電端子を介して第１回路基板７０から給電されると共に、第１回路基板７０のＲＦモジュール等と接続される。
【００５１】
リアケース２ｂの一端側（図４において）には、取り外し可能なバッテリリッド２ｃが設けられており、バッテリ９０をリアケース２ｂの外側から収納した後、リアケース２ｂに装着される。また、リアケース２ｂにおける一端側には、ユーザの音声を入力する不図示の音声入力部１２（特にマイク）が収容される。
【００５２】
図５に示すように、表示部側筐体３は、フロントケース３ａと、図５において不図示の音声出力部２２と、表示部２１と、表示部２１が接続された第２回路基板８５と、リアパネル３ｃと、リアケース３ｂと、を備える。
【００５３】
表示部側筐体３は、フロントケース３ａと、表示部２１と、第２回路基板８５と、リアパネル３ｃと、リアケース３ｂとがそれぞれが積層的に配置される。具体的には、フロントケース３ａとリアケース３ｂとは、互いの凹状の内側面が向き合うように配置され、互いの外周縁が重なり合うようにして結合される。
【００５４】
フロントケース３ａとリアケース３ｂとの間には、表示部２１が接続された第２回路基板８５が挟まれるようにして内蔵される。第２回路基板８５には、不図示のアンプと接続されるスピーカが接続される。
【００５５】
リアケース３ｂにおけるヒンジ機構４が配置される側の端部３００Ａには、第２金属蒸着部１０２が形成される。第２金属蒸着部１０２は、リアケース３ｂの端部３００Ａにおける回転軸Ｘ方向（幅方向）のＸ１側に形成される。第２金属蒸着部１０２は、リアケース３ｂの端部３００Ａにおけるフロントケース３ａと対向する側の面である内面に形成される。第２金属蒸着部１０２は、リアケース３ｂの内面に金属蒸着処理をすることで形成される。
【００５６】
第２金属蒸着部１０２は、図２Ａ及び図２Ｂに示すように、携帯電話機１が閉状態において第１金属蒸着部１００から離間して配置され、図３Ａ及び図３Ｂに示すように、携帯電話機１が開状態において第１金属蒸着部１００に近接して配置される。
【００５７】
第２金属蒸着部１０２は、図２Ａから図３Ｂに示すように、表示部側筐体３における第２面としての内面３Ａと反対の外面３Ｂ側に形成される。
第２金属蒸着部１０２に対応する内面３Ａに対応する領域１０２ａは、図２Ａ及び図２Ｂに示すように携帯電話機１が閉状態において外部に露出し、図３Ａ及び図３Ｂに示すように開状態において外部に露出ないよう構成される。
第２金属蒸着部１０２は、第２回路基板８５における不図示の基準電位パターン層に接続される。
【００５８】
続けて、図６により、携帯電話機１における開閉検知機能を説明する。
図６に示すように、携帯電話機１は、第２回路基板８５に形成される不図示の基準電位パターン層に接続される第２金属蒸着部１０２と、第１金属蒸着部１００と、第１金属蒸着部１００と第２金属蒸着部１０２とにより生じる静電容量の変化を電圧の変化として出力するＣ／Ｖ変換部４００と、検出部４０５と、ＣＰＵ４５に含まれる機能部としての開閉検知部４１０と、を有する。
【００５９】
第１金属蒸着部１００と第２金属蒸着部１０２とは、互いの距離が開閉状態により変更するよう構成される。具体的には、上述の通り、携帯電話機１が閉状態である場合には互いに離間して配置され、開状態である場合には互いに近接して配置される。第１金属蒸着部１００と第２金属蒸着部１０２との距離が変化することで、第１金属蒸着部１００と第２金属蒸着部１０２とにより生じる静電容量が変化する。
【００６０】
Ｃ／Ｖ変換部４００は、静電容量の変化を電圧の変化に変換する。更には、静電容量の変化を電圧の変化に変換すると共に、変化を増幅して検出部４０５に出力する。Ｃ／Ｖ変換部４００を構成するＣ／Ｖ変換回路の構成は後述の通りである。
【００６１】
検出部４０５は、第１金属蒸着部１００と第２金属蒸着部１０２との距離が変化したことによる静電容量の変化を検出する。具体的には、検出部４０５は、Ｃ／Ｖ変換部４００から出力される電圧の変化を検出することで、静電容量の変化を検出する。検出部４０５は、Ｃ／Ｖ変換部４００からの電圧が増加する変化及び電圧が減少する変化を検出する。
【００６２】
開閉検知部４１０は、検出部４０５により検出された静電容量の変化に基づいて、携帯電話機１が開状態又は前記閉状態であるかを検知する。具体的には、検出部４０５により静電容量が増加する変化が検出された場合、開閉検知部４１０は、携帯電話機１が開状態であると検知する。検出部４０５により静電容量が減少する変化が検出された場合、開閉検知部４１０は、携帯電話機１が閉状態であると検知する。
【００６３】
図７により、Ｃ／Ｖ変換部４００を構成する回路図を説明する。
図７に示すように、Ｃ／Ｖ変換回路は、コンデンサ４５０と、第１金属蒸着部１００及び第２金属蒸着部１０２と、オペアンプ４６０と、ＣＰＵ４５と、を有する。
【００６４】
第１金属蒸着部１００と第２金属蒸着部１０２は、操作部側筐体２と表示部側筐体３とが閉状態及び開状態になったときにコンデンサ（以下、可変コンデンサ４５１という。）を構成する。また、携帯電話機１が開状態と閉状態において、第１金属蒸着部１００と第２金属蒸着部１０２との距離ｄが変化することにより、開状態時の可変コンデンサ４５１の静電容量Ｃ１と、閉状態時の可変コンデンサ４５１の静電容量Ｃ２が異なる値となる。
【００６５】
このようにして、開閉状態が変化することにより静電容量が変化することで、オペアンプ４６０に入力される電圧が変化する。この電圧の変化が増幅されてＣＰＵ４５に入力される。ＣＰＵ４５に含まれる機能部としての検出部４０５（図６参照）は、電圧の変化により静電容量の変化を検出する。そして、ＣＰＵ４５に含まれる機能部としての開閉検知部４１０（図６参照）は、検出部４０５が検出した電圧（静電容量）の変化に基づいて、携帯電話機１が開状態又は閉状態であることを検知する。
なお、図７においては、オペアンプ４６０は、積分回路を構成しており、操作部側筐体２と表示部側筐体３とが閉状態又は開状態になった直後の静電容量の急激な変化（チャタリング）を検出しない構成になっている。
【００６６】
続けて、図８により、本実施形態の携帯電話機１における作用について説明する。
図８は、開閉検知機能の動作を説明するフロー図である。
携帯電話機１が閉状態において、第１金属蒸着部１００と第２金属蒸着部１０２とは、離間した状態である（ＳＴ１）。
【００６７】
まず、閉状態である携帯電話機１を開状態に変形させる（ＳＴ２）。
携帯電話機１を閉状態から開状態に変形した場合、第１金属蒸着部１００と第２金属蒸着部１０２は近接配置される（ＳＴ３）。つまり、携帯電話機１が開状態において、第１金属蒸着部１００と第２金属蒸着部１０２との距離は閉状態の場合よりも短くなる。第１金属蒸着部１００と第２金属蒸着部１０２との距離が短くなることで、第１金属蒸着部１００とにより生じる静電容量が増加する（ＳＴ４）。
【００６８】
Ｃ／Ｖ変換部４００は、静電容量の変化を電圧の変化に変換する（ＳＴ５）。具体的には、Ｃ／変換部４００は、静電容量の変化を増幅して電圧の変化に変換する。
【００６９】
検出部４０５は、電圧の変化により静電容量の変化を検出する。具体的には、検出部４０５は、電圧の変化により静電容量が増加したことを検出する（ＳＴ６）。
【００７０】
開閉検知部４１０は、検出部４０５により静電容量が増加したことが検知されたことに基づいて、携帯電話機１が開状態になったことを検知する（ＳＴ７）。
【００７１】
続けて、携帯電話機１を開状態から閉状態に変形させる（ＳＴ８）。
携帯電話機１が開状態から閉状態に変形した場合、第１金属蒸着部１００と第２金属蒸着部１０２とは離間する（ＳＴ９）。つまり、携帯電話機１が閉状態において、第１金属蒸着部１００と第２金属蒸着部１０２との距離は開状態の場合よりも長くなる。第１金属蒸着部１００と第２金属蒸着部１０２との距離が長くなることで、第１金属蒸着部１００とにより生じる静電容量が減少する（ＳＴ１０）。
【００７２】
Ｃ／Ｖ変換部４００は、静電容量の変化を電圧の変化に変換する（ＳＴ１１）。具体的には、Ｃ／変換部４００は、静電容量の変化を増幅して電圧の変化に変換する。
【００７３】
検出部４０５は、電圧の変化により静電容量の変化を検出する。具体的には、検出部４０５は、電圧の変化により静電容量が減少したことを検出する（ＳＴ１２）。
【００７４】
開閉検知部４１０は、検出部４０５により静電容量が減少したことが検知されたことにより、携帯電話機１が閉状態になったことを検知する（ＳＴ１３）。
【００７５】
本実施形態によれば、アンテナ特性を向上させるために配置された第１金属蒸着部１００と第２金属蒸着部１０２とを携帯電話機１における開閉検知手段として利用したので、開閉検知用として新たに所定のセンサを追加することなく携帯電話機１の開閉を検知可能な構成としている。また、これにより、コストを増加させることなく開閉検知が可能な構成を有する携帯電話機１を提供することができる。
【００７６】
また、本実施形態によれば、従来用いられている磁石を用いることなく開閉検知が可能な構成としているので、スピーカや磁気媒体等に対して悪影響が生じることを抑制できる。
【００７７】
また、本実施形態によれば、内面２Ａにおける第１金属蒸着部１００に対応する領域１００ａは、携帯電話機１が開状態及び閉状態において、外部に露出されないので、ユーザや他の導電体が当接等されない。これにより、開閉状態の誤検知が抑制される。
【００７８】
また、本実施形態によれば、信号線２５０ａを含むフレキシブルプリント基板２５０は、回転軸方向ＸにおけるＸ２側に配置される。そして、互いに容量結合する第１金属蒸着部１００及び第２金属蒸着部１０２は、回転軸方向Ｘにおける信号線２５０ａと反対側のＸ１側に形成される。これより、携帯電話機１が開状態において、アンテナ特性は好適な状態に向上される。
【００７９】
また、本実施形態によれば、第１金属蒸着部１００及び第２金属蒸着部１０２それぞれは、金属蒸着により形成される。これにより、第１導電部及び第２導電部を、携帯電話機１における開閉状態により近接又は離間する位置に移動される任意の部分に形成することができる。
【００８０】
また、本実施形態によれば、Ｃ／Ｖ変換部４００を有するので、静電容量の変化を増幅して電圧の変化に変換することができる。これにより、検出部４０５は、静電容量の変化を電圧の変化により簡易に検出することができる。
【００８１】
以上、好適な実施形態について説明したが、本発明は上述した実施形態に限定されることなく種々の形態で実施することができる。例えば、本実施形態において、電子機器として携帯電話機１について説明しているが、これに限定されず、ＰＨＳ（登録商標；Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、ノートパソコン等であってもよい。
【００８２】
また、本実施形態においては、ヒンジ機構４により折り畳み可能な携帯電話機１の説明をしているが、このような折り畳み式ではなく、操作部側筐体２と表示部側筐体３との重ね合わせた状態から一方の筐体を一方向にスライドさせるようにしたスライド式や、操作部側筐体２と表示部側筐体３との重ね合せ方向に沿う軸線を中心に一方の筐体を回転させるようにした回転（ターン）式でもよい。また、携帯電話機１は、いわゆる２軸ヒンジタイプであってもよい。
【００８３】
また、本実施形態においては、第１導電部及び第２導電部として、金属蒸着部について説明しているが、これに限定されず、例えば、金属製の補強部材や、回路基板の金属部（配線パターン等）や、スピーカや、連結部を構成するダミーヒンジ等の部材を導電部として利用してもよい。
【００８４】
また、本実施形態においては、Ｃ／Ｖ変換回路として図７に示す回路について説明するが、これに限定されない。例えば、Ｃ／Ｖ変換回路は、図９に示す回路であってもよい。
図９に示すように、Ｃ／Ｖ変換回路における他の例は、コンデンサ４５０と、第１金属蒸着部１００及び第２金属蒸着部１０２と、コンパレータ４６１と、ＣＰＵ４５と、を有する。
【００８５】
第１金属蒸着部１００と第２金属蒸着部１０２は、操作部側筐体２と表示部側筐体３とが閉状態及び開状態になったときにコンデンサ（以下、可変コンデンサ４５１という。）を構成する。また、携帯電話機１が開状態と閉状態において、第１金属蒸着部１００と第２金属蒸着部１０２との距離ｄが変化することにより、開状態時の可変コンデンサ４５１の静電容量Ｃ１と、閉状態時の可変コンデンサ４５１の静電容量Ｃ２が異なる値となる。
【００８６】
このようにして、開閉状態が変化することにより静電容量が変化することで、コンパレータ４６１に入力される電圧Ｖ１が変化する。
また、コンパレータ４６１は、当該電圧Ｖ１と基準電圧Ｖ２とを比較演算し、当該比較演算結果をＣＰＵ４５に出力する。
また、ＣＰＵ４５に含まれる機能部としての検出部４０５（図６参照）は、当該比較演算結果に基づいて静電容量の変化を検出する。そして、ＣＰＵ４５に含まれる機能部としての開閉検知部４１０（図６参照）は、検出部４０５が検出した電圧（静電容量）の変化に基づいて、携帯電話機１が開状態又は閉状態であることを検知する。
【００８７】
また、本実施形態においては、Ｃ／Ｖ変換部４００により静電容量の変化を電圧の変化に変換しているが、これに限定されず、Ｃ／Ｉ変換部により静電容量の変化を電流の変化に変換してもよい。
【図面の簡単な説明】
【００８８】
【図１】開状態における携帯電話機１の正面図である。
【図２Ａ】閉状態における携帯電話機１の側面図である。
【図２Ｂ】図２Ａにおける第１金属蒸着部１００及び第２金属蒸着部１０２近傍の拡大図である。
【図３Ａ】開状態における携帯電話機１の側面図である。
【図３Ｂ】図３Ａにおける第１金属蒸着部１００及び第２金属蒸着部１０２近傍の拡大図である。
【図４】操作部側筐体２に内蔵される部材の分解斜視図である。
【図５】表示部側筐体３に内蔵される部材の分解斜視図である。
【図６】携帯電話機１における開閉検知機能を説明するブロック図である。
【図７】Ｃ／Ｖ変換部４００を構成するＣ／Ｖ変換回路図である。
【図８】開閉検知機能の動作を説明するフロー図である。
【図９】Ｃ／Ｖ変換部４００を構成するＣ／Ｖ変換回路図における他の例である。
【符号の説明】
【００８９】
１          携帯電話機
２          操作部側筐体
２Ａ        内面（第１面）
３          表示部側筐体
３Ａ        内面（第２面）
４          ヒンジ機構（連結部）
１００      第１金属蒸着部（第１導電部）
１０２      第２金属蒸着部（第２導電部）
４００      Ｃ／Ｖ変換部
４０５      検出部
４１０      開閉検知部
【図１】
2009182688.tif 000003
【図２Ａ】
2009182688.tif 000004
【図２Ｂ】
2009182688.tif 000005
【図３Ａ】
2009182688.tif 000006
【図３Ｂ】
2009182688.tif 000007
【図４】
2009182688.tif 000008
【図５】
2009182688.tif 000009
【図６】
2009182688.tif 000010
【図７】
2009182688.tif 000011
【図８】
2009182688.tif 000012
【図９】
2009182688.tif 000013